(57)【要約】【課題】  既存の銀塩フイルムカメラの本体がそのまま利用可能で、銀塩フイルムカメラ本来の操作性や外観の良さを損なうことなく、且つ従来の操作方法だけで容易にデジタル画像データの生成が行えるデジタルカメラを提供する。【解決手段】  銀塩フイルムカメラのパトローネ室に装填可能な円筒形本体部と、前記円筒形本体部から前記銀塩フイルムカメラのスプール室方向へ延出し、前記銀塩フイルムカメラのレンズから入射する被写体光を受光可能な位置に撮像素子を配置した平板状撮像部と、で構成され、前記銀塩フイルムカメラのシャッター押下に伴う露光により前記撮像素子への撮像が行われることを特徴とする。【選択図】  図１
2006121635.tif 000002
【特許請求の範囲】
【請求項１】
銀塩フイルムカメラ内に収納して使用可能なデジタルカメラであって、
銀塩フイルムカメラのパトローネ室に装填可能な円筒形本体部と、
前記円筒形本体部から前記銀塩フイルムカメラのスプール室方向へ延出し、前記銀塩フイルムカメラのレンズから入射する被写体光を受光可能な位置に撮像素子を配置した平板状撮像部と、で構成され、前記銀塩フイルムカメラのシャッター押下に伴う露光により前記撮像素子への撮像が行われることを特徴とするデジタルカメラ。
【請求項２】
前記銀塩フイルムカメラのフイルム巻上げ動作を検知してデジタルカメラ本体の電源投入を行うスイッチ部を更に有することを特徴とする請求項１記載のデジタルカメラ。
【請求項３】
前記平板状撮像部の撮像素子は、前記スイッチ部による電源投入と同時に撮像待機状態となることを特徴とする請求項２記載のデジタルカメラ。
【請求項４】
前記スイッチ部の検知による電源投入から所定時間後に電源切断を行うタイマー部を更に有することを特徴とする請求項２記載のデジタルカメラ。
【発明の詳細な説明】
【技術分野】
【０００１】  本発明は、従来の銀塩フイルムカメラの内部に装着可能なデジタルカメラに関する。
【背景技術】
【０００２】  従来、被写体光を銀塩フイルムに結像させ被写体画像を得るカメラ（以降、銀塩フイルムカメラと称する）とデジタルカメラの両方の機能を兼備した複合カメラが数多く提案されてきた。これは、銀塩フイルムカメラの印刷画質に優れている点と、デジタルカメラのデータ記録性に優れている点の融合を目指したものであり、それらのほとんどが銀塩フイルムカメラユニットとデジタルカメラユニットとを同一本体内に装備した一体型の複合カメラであった。例えば、カメラ本体内部のペンタプリズム部に撮像素子であるＣＣＤ（Ｃｈａｒｇｅ  Ｃｏｕｐｌｅｄ  Ｄｅｖｉｃｅ）を固定し、ＣＣＤでの撮像も可能としたカメラ（例えば、特許文献１参照）や、ＣＣＤをカメラ本体内部の底部に固定し、ハーフミラーで被写体光の進入先を変えることにより、ＣＣＤまたはフイルムのいずれか一方、あるいは両方で撮像が行えるカメラ（例えば、特許文献２参照）、カメラの裏蓋にＣＣＤを固定して、フイルムを装填していない場合にＣＣＤでの撮影を可能としたカメラ（例えば、特許文献３参照）などがある。【０００３】  ところで、近年のデジタルカメラは、固体撮像素子の高性能化により所謂出力画素数が飛躍的に上昇し、印刷して出力される画像の解像度は、銀塩フイルムで撮影した写真程度またはそれ以上に向上している。そのため、デジタルカメラに銀塩フイルムカメラの機能を複合させるメリットが低減し、上記の複合カメラへのニーズは弱まっている。【０００４】  その反面、操作性や機能性、レンズの汎用性、デザイン性に優れた既存の銀塩フイルムカメラ、とりわけ一眼レフカメラを使用したいというニーズは根強いものがあり、その一例として、既存の一眼レフカメラの交換レンズが使用可能なデジタルカメラが上市され、好評を博している。今後はむしろ、既存の銀塩フイルムカメラ本体をそのまま利用してデジタル画像データの生成も行える利用方法へとニーズがシフトすることが予想される。【０００５】  ところが、従来の複合カメラは銀塩フイルムカメラユニットとデジタルカメラユニットが同一本体内に装備されていることが前提であったため、既存の純粋な銀塩フイルムカメラを用いる場合は改造等が必要であり、そのままでは上記の複合カメラの機能を実現することができないという課題があった。また、機能を切り替えるための操作など、銀塩フイルムカメラの通常の操作とは別の操作を要し、操作方法が複雑になり煩わしいという問題もあった。【０００６】  一方、これまでにも既存の銀塩フイルムカメラの外部に装着可能なデジタルカメラユニット（例えば、特許文献４参照）なども提案されていたが、外部装着となるため、装着後の本体容積が大きくなり、銀塩フイルムカメラ本来の操作性や外観の良さが損なわれるという問題があった。
【特許文献１】特開平１１−１１９３３８号公報（第３−６頁、第１図）
【特許文献２】特開２０００−１６５７０９号公報（第３−６頁、第１図）
【特許文献３】特開２００２−３１１４９２号公報（第３−５頁、第２図）
【特許文献４】特開２０００−１５５３６９号公報（第３−７頁、第１図）
【発明の開示】
【発明が解決しようとする課題】
【０００７】  そこで本発明は上記従来の課題に鑑みてなされたものであり、既存の銀塩フイルムカメラの本体がそのまま利用可能で、銀塩フイルムカメラ本来の操作性や外観の良さを損なうことなく、且つ従来の操作方法だけで容易にデジタル画像データの生成が行えるデジタルカメラを提供することを目的とする。
【課題を解決するための手段】
【０００８】  上記課題を解決するため、本発明のデジタルカメラは、銀塩フイルムカメラ内に収納して使用可能なデジタルカメラであって、銀塩フイルムカメラのパトローネ室に装填可能な円筒形本体部と、前記円筒形本体部から前記銀塩フイルムカメラのスプール室方向へ延出し、前記銀塩フイルムカメラのレンズから入射する被写体光を受光可能な位置に撮像素子を配置した平板状撮像部と、で構成され、前記銀塩フイルムカメラのシャッター押下に伴う露光により前記撮像素子への撮像が行われることを特徴とする。
上記構成によれば、既存の銀塩フイルムカメラでの撮影操作によりデジタルカメラでの撮影が行われるので、銀塩フイルムカメラ本来の操作性や外観の良さを損なうことなく、且つ従来の操作方法だけで容易にデジタル画像データの生成が行える【０００９】  また、本発明のデジタルカメラは、請求項１に記載のデジタルカメラであって、前記銀塩フイルムカメラのフイルム巻上げ動作を検知してデジタルカメラ本体の電源投入を行うスイッチ部を更に有することを特徴とする。
上記構成によれば、電気的な接続等を行うことなく、銀塩フイルムカメラの撮影準備動作を受けてデジタルカメラを起動することができる。【００１０】  また、本発明のデジタルカメラは、請求項２に記載のデジタルカメラであって、前記平板状撮像部の撮像素子は、前記スイッチ部による電源投入と同時に撮像待機状態となることを特徴とする。
上記構成によれば、電気的な接続等を行うことなく、銀塩フイルムカメラの撮影準備動作を受けてデジタルカメラを起動し、更にシャッター押下に伴う露光によりデジタル画像の撮影を行うことができる。【００１１】  また、本発明のデジタルカメラは、請求項２に記載のデジタルカメラであって、前記スイッチ部の検知による電源投入から所定時間後に電源切断を行うタイマー部を更に有することを特徴とする。
上記構成によれば、撮影が行われたと判断される適切な時間経過後に、銀塩フイルムカメラ内に収納されたデジタルカメラの電源を切断するので、無駄な電力消費を防止することができる。
【発明の効果】
【００１２】  以上のように、本発明のデジタルカメラによれば、既存の銀塩フイルムカメラの本体がそのまま利用可能で、銀塩フイルムカメラ本来の操作性や外観の良さを損なうことなく、且つ従来の操作方法だけで容易にデジタル画像データの生成が行える。
【発明を実施するための最良の形態】
【００１３】  以下、本発明の実施の形態におけるデジタルカメラについて、図面を用いて詳細に説明する。尚、実施の形態を説明するための全図において、同一機能を有するものは同一符号を付与し、説明は繰り返さないこととする。【００１４】  図１及び図２は、本発明の実施の形態におけるデジタルカメラの外観を示す図である。デジタルカメラ１００は、主に、平板状撮像部１０と円筒形本体部２０から構成される。図に示すように、平板状撮像部１０は、その裏側中央部、即ち、銀塩フイルムカメラに装着した際に銀塩フイルムカメラのレンズからの被写体光を受光する部分に、撮像素子であるＣＣＤ１１を有する。また、裏側末端の２箇所、即ち、銀塩フイルムカメラに装着した際に銀塩フイルムカメラのフイルム送りを行うスプロケットと接触する部分に、デジタルカメラ１００本体の電源をＯＮにするスイッチ部１２を有する。このスイッチ部１２は歯車を有し、歯車の回転を検知することによりデジタルカメラ１００の電源が投入される。この歯車の凹凸部は、デジタルカメラ１００を銀塩フイルムカメラに装着した状態では、銀塩フイルムカメラのスプロケット歯車の凹凸部と咬合する。【００１５】  また円筒形本体部２０は、電源となるバッテリー５０を挿入するバッテリー挿入口３０、フイルムのケース（パトローネ）内のスプールと同形状の突起部３１、撮影したデジタル画像データを記録するメモリーカード等の記録媒体４０を挿入する記録媒体挿入口３２を有する。【００１６】  図３は、本発明の実施の形態におけるデジタルカメラが銀塩フイルムカメラに装着される様子を示す図である。通常はパトローネが装填されるパトローネ室６０に、デジタルカメラ１００の円筒形本体部２０が装填される。円筒形本体部２０は、パトローネと略同形であり、突起部３１がパトローネ室６０内の凹部６１に挿入されることにより正規位置に固定できるようになっている。【００１７】  一方、平板状撮像部１０は、２箇所のスイッチ部１２の歯車と銀塩フイルムカメラ２００のスプロケット歯車７２の凹凸部が咬合するように接触し、裏蓋８０を閉じた場合にフイルム指示板８１により適切な圧力で圧下される。尚、スプロケット歯車７２は、フイルムの巻き上げ動作時に、巻き上げたフイルムを収納するスプール室７０内にあるスプール７１と同期して回転する。スプロケット歯車７２が回転すると、咬合するスイッチ部１２の歯車も回転するので、デジタルカメラ１００の電源がＯＮとなる。【００１８】  次に、図４は、本発明の実施の形態におけるデジタルカメラ１００の内部構成を示す図である。デジタルカメラ１００は、主に、ＣＣＤ１１、スイッチ部１２、アナログ信号処理部２１、Ａ／Ｄ変換器２２、デジタル信号処理部２３、メモリ２４、圧縮部２５、記録部２６、制御部２７、タイマー部２８、などで構成されている。【００１９】  ＣＣＤ１１は、マトリクス状またはハニカム状に配置された多数の受光素子を有する光センサーで形成されている。また、スイッチ部１２は、銀塩フイルムカメラ２００のフイルム巻き上げ動作によるスプロケット歯車７２の回転を検知する。【００２０】  被写体を反射して銀塩フイルムカメラのレンズを介して入射した光は、ＣＣＤ１１の受光面��結像する。ＣＣＤ１１は、所定のタイミング信号に同期したタイミングで駆動され、各受光素子に入射する光の光量に応じた画像信号を出力する。ＣＣＤ１１の信号出力端には、アナログ信号処理部２１、Ａ／Ｄ変換器２２が順に接続されている。【００２１】  アナログ信号処理部２１は、ＣＣＤ１１から出力された画像信号に所定のアナログ処理を行い、画素ごとのＲ、Ｇ、Ｂ信号として出力する。【００２２】  Ａ／Ｄ変換器２２は、アナログ信号処理部２１から順次加えられるＲ、Ｇ、Ｂ信号をデジタル形式のＲ、Ｇ、Ｂ信号に変換して出力する。上記のＣＣＤ１１、アナログ信号処理部２１、Ａ／Ｄ変換器２２は、タイミング信号により各回路の同期がとられている。【００２３】  デジタル信号処理部２３は、入力された画像データに対してホワイトバランス補正、ガンマ（γ）補正、輪郭補正、色補正、ＹＣ処理、等の各種処理を行う。デジタル信号処理部２３で輝度信号（Ｙ信号）及び色差信号（Ｃｒ  Ｃｂ信号）に変換された画像データは、バスを介して画像データ一時記憶用のメモリ２４に格納される。【００２４】  メモリ２４は、ＤＲＡＭ等で構成され、取得した画像データを一時記憶するバッファメモリとしての機能を果たす。【００２５】  圧縮部２５は、メモリ２４に蓄積された画像データをＪＰＥＧ（Ｊｏｉｎｔ  Ｐｈｏｔｏｇｒａｐｈｉｃ  Ｅｘｐｅｒｔｓ  Ｇｒｏｕｐ）方式などの所定の圧縮方式で圧縮して記録部２６に出力する。尚、圧縮部２５で圧縮処理を行う際の画像データは、輝度データＹと色差データＣｒ，Ｃｂとに変換されて（ＹＣ分離処理）、メモリ２４に格納されている。【００２６】  記録部２６は、記録用に取得した画像データをメモリーカードなどの記録媒体４０に記録する。【００２７】  制御部２７は、バスで接続する各部の動作を制御し、デジタルカメラの撮像動作に係わる統括制御を行う。制御部２７は、周辺構成とのデータの受け渡しやタイミング制御などの他に様々な機能をソフトウェア的に行う。【００２８】  タイマー部２８は、スイッチ部１２による電源投入直後から計時を開始し、所定時間経過後にデジタルカメラ１００の電源をＯＦＦにするタイマーで構成される。【００２９】  尚、上記のＣＣＤ１１、アナログ信号処理部２１、Ａ／Ｄ変換器２２、デジタル信号処理部２３、メモリ２４、圧縮部２５、記録部２６と、制御部２７の一部を含むデジタルカメラユニットは、公知のデジタルカメラユニットを用いてよく、従って、詳細な機能や画像処理などの動作については説明を省略する。【００３０】  次に、上記構成のデジタルカメラの撮影動作について説明する。【００３１】  図５は、本発明の実施の形態におけるデジタルカメラの撮影動作の手順を示すフローチャートである。はじめに、デジタルカメラ１００の制御部２７は、スイッチ部１２の歯車の回転による出力を監視しており（ステップＳ１０１）、スイッチ部１２からの出力を検知すると、デジタルカメラ１００の電源をＯＮにして（ステップＳ１０２）、撮影待機状態とする（ステップＳ１０３）。具体的には、撮影を行う操作者が、内部にデジタルカメラ１００を装着した銀塩フイルムカメラ２００のフイルム巻き上げレバー９０（図３参照）を回転させ、フイルムの巻き上げ動作を行うと、レバーの回転に同期してスプール７１やスプロケット歯車７２が回転するので、スプロケット歯車７２に咬合するデジタルカメラ１００のスイッチ部１２の歯車が回転する。【００３２】  制御部２７は、同時にタイマー部２８に計時を指示する（ステップＳ１０４）。タイマー部２８には、制御部２７がデジタルカメラ１００の電源をＯＦＦにするまでにカウントする所定時間が予め設定されている。【００３３】  撮影待機状態において、制御部２７はＣＣＤ１１への露光を待機しており（ステップＳ１０５）、操作者が銀塩フイルムカメラ２００の撮影動作を実行することによりデジタル画像データの生成を行う。具体的には、操作者が銀塩フイルムカメラ２００のシャッターボタン９１（図３参照）を押下すると、銀塩フイルムカメラのレンズ等を通過した被写体光が銀塩フイルムカメラ内に導入される。デジタルカメラ１００のＣＣＤ１１がこれを受光し、光量に応じた画像信号を出力すると、以降のデジタルカメラユニットでデジタル画像の生成処理が行われる（ステップＳ１０６）。尚、デジタルカメラユニットにおける画像生成処理については説明を省略する。生成されたデジタル画像データは記録媒体４０に記録される。【００３４】  一方、待機状態において制御部２７は、常時タイマー部２８の計時が満了しているか否かを判定し（ステップＳ１０７）、計時が満了した場合はデジタルカメラ１００の電源をＯＦＦとして（ステップＳ１０８）、一連の撮影動作を終了する。生成した画像データは記録媒体４０に保存されているので、画像データの取得や編集を行いたい場合は、銀塩フイルムカメラ２００の裏蓋８０を開け、取り出したデジタルカメラ１００から記録媒体４０を脱着すればよい。【００３５】  ところで、上記ではフイルム巻き上げレバーにて手動でフイルムの巻き上げを行う銀塩フイルムカメラについて説明したが、フイルム巻き上げレバーのないカメラでも本発明のデジタルカメラは使用可能である。フイルム巻き上げレバーのないカメラは、撮影後に自動的にフイルムを１コマ分巻き上げる自動巻き上げ式となっている。従って、シャッター押下後に行われる自動巻き上げ動作を利用する。【００３６】  はじめに、デジタルカメラ１００を装着した銀塩フイルムカメラのシャッターボタン９１を一回押下する。銀塩フイルムカメラは通常の露光動作を行った後に自動巻き上げ動作を実行するので、スプロケット歯車７２が回転し、それに咬合するデジタルカメラ１００のスイッチ部１２の歯車が回転して（図５のフローチャートにおけるステップＳ１０１）、デジタルカメラ１００の電源がＯＮとなる（同じくステップＳ１０２）。【００３７】  これで、デジタルカメラ１００の電源が投入され、撮影待機状態となったので、所定の時間以内に操作者が銀塩フイルムカメラ２００のシャッターボタン９１をもう一度押下すると、デジタルカメラでの撮影動作が実行される（図５のフローチャートにおけるステップＳ１０３以降）。このように、自動巻き上げ式のカメラでも、シャッターボタンを２回押下することにより、デジタルカメラでデジタル画像を生成することができる。尚、シャッターボタン９１の最初の押下動作（即ち、デジタルカメラ１００の電源投入動作）による露光ではデジタル画像データを生成しないように設定しておくことが好ましい。【００３８】  以上のように、本発明の実施の形態におけるデジタルカメラでは、銀塩フイルムカメラの撮影動作を実行するだけで、内部に装着したデジタルカメラでデジタル画像データを生成することができる。【００３９】  尚、上記の実施の形態では、平板状撮像部１０の撮像素子１２としてフイルム１コマ分の大きさのＣＣＤを想定しているが、これにとらわれるものではなく、例えば、銀塩フイルムカメラのレンズからの被写体光をより小さく結像させるためのレンズユニット等を平板状撮像部１０上に設け、集積度の高いＣＣＤで撮像を行う構成としてもよい。【００４０】  また、デジタルカメラ１００のＣＣＤ１１近傍に光センサー等を別途装備して、撮影待機状態における露光の検知を行わせ、ＣＣＤ１１の撮像タイミングと同期させるようにしてもかまわない。
【産業上の利用可能性】
【００４１】  本発明にかかわるデジタルカメラは、既存の銀塩フイルムカメラの本体がそのまま利用可能で、銀塩フイルムカメラ本来の操作性や外観の良さを損なうことなく、且つ従来の操作方法だけで容易にデジタル画像データの生成が行えるという効果を有し、銀塩フイルムカメラを利用したデジタル画像撮影において有用である。
【図面の簡単な説明】
【００４２】
【図１】  本発明の実施の形態におけるデジタルカメラの外観を示す図（正面）
【図２】  本発明の実施の形態におけるデジタルカメラの外観を示す図（裏面）
【図３】  本発明の実施の形態におけるデジタルカメラが銀塩フイルムカメラに装着される様子を示す図
【図４】  本発明の実施の形態におけるデジタルカメラの内部構成を示す図
【図５】  本発明の実施の形態におけるデジタルカメラの撮影動作の手順を示すフローチャート
【符号の説明】
【００４３】１０  平板状撮像部
１１  ＣＣＤ
１２  スイッチ部
２０  円筒形本体部
３０  バッテリー挿入口
３１  突起部
３２  記録媒体挿入口
４０  記録媒体
５０  バッテリー
６０  パトローネ室
６１  凹部
７０  スプール室
７１  スプール
７２  スプロケット歯車
８０  裏蓋
８１  フイルム指示板
９０  フイルム巻き上げレバー
９１  シャッターボタン
【図１】
2006121635.tif 000003
【図２】
2006121635.tif 000004
【図３】
2006121635.tif 000005
【図４】
2006121635.tif 000006
【図５】
2006121635.tif 000007